(57)【要約】【課題】クリップ及びバネがペン軸に対し簡単に取り付けることができるようなクリップ付ペンの構成を提供すること。【解決手段】ペン軸の外側に位置しているクリップ１と、ペン軸３の内側に位置しているバネ２との接合部をペン軸３に対して固着しない状態にて、ペン軸３の長孔３１に挿通させ、ペン軸３の小孔又は凹部３２に先端又はその付近に設けた突起部を嵌入させた状態にあるバネ２が、ペン軸３を弾性的に押圧していることに基づき、ペン軸３に対するクリップ１及びバネ２の取付を簡単に実現することができるクリップ付ペン。【選択図】　　　　　図３
2004106315.tif 000002
【特許請求の範囲】
【請求項１】
ペン軸の外側に位置しているクリップと、ペン軸の内側に位置しているバネとの接合部をペン軸に対して固着しない状態にて、ペン軸の長孔に挿通させ、ペン軸の小孔又は凹部に先端又はその付近に設けた突起部を嵌入させた状態にあるバネが、ペン軸を弾性的に押圧していることに基づくクリップ付ペン。
【請求項２】
バネの中途部位をペン軸側に略く字型とし、当該折り曲げ頂部に対応した位置にあるペン軸の小孔又は凹部に嵌入させていることを特徴とする請求項１記載のクリップ付ペン。
【請求項３】
クリップの先端又はその付近においてペン軸側への突部が存在しない設計を採用することによって、クリップの内側面とペン軸の外側面とが当接した状態とし、バネとの接合部をペン軸側に押圧した場合、当該接合部が長孔を介してペン軸側に嵌入し、かつクリップの先端側がペン軸から離れた状態となり得ることを特徴とする請求項１記載のクリップ付ペン。
【請求項４】
クリップとバネとを予め一体形成し、バネを先端部分から長孔を介してペン軸の先端側に挿入し、バネの先端又はその付近の突起部がペン軸の小孔又は凹部に嵌入するに至るまで、クリップとバネとをペン軸の先端側に移動させることによって、クリップとバネとの接合部を長孔に挿通させる状態としたことを特徴とする請求項１記載のクリップ付ペンの製造方法。
【発明の詳細な説明】
【０００１】
【発明の属する技術分野】
本発明は、クリップ付筆記用ペン又は化粧用ペン（以下「ペン」と総称する。）に関するものである。
【０００２】
【従来の技術】
ペンにおいては、クリップを介して衣服のポケットの上端に掛合させる場合が多いが、当該掛合を実現するために、クリップはペン軸の内側を押圧した状態にあるバネと根元部分において接合した状態にある。
【０００３】
そして、クリップとバネとの接合部は、ペン軸の長孔に挿通した状態にあるが、バネの左右前後方向の移動を防止することを実現するため、バネは、ペン軸の内側において固着されているが、当該固着は、例えば溶着など複雑な技術的手段が採用されており、製造上極めて煩雑である。
【０００４】
しかも、このような製造上の煩雑性が、クリップ付ペンのコストに反映せざるを得ないという状況にある。
【０００５】
【発明が解決しようとする課題】
本発明は、クリップを有するペンにおける上記従来技術の欠点を克服し、簡単にバネがペン軸内側に取り付けられるような構成を有しているクリップ付ペンを提供することを課題とするものである。
【０００６】
【課題を解決するための手段】
前記課題を解決するため、本発明の構成は、ペン軸の外側に位置しているクリップと、ペン軸の内側に位置しているバネとの接合部をペン軸に対して固着しない状態にて、ペン軸の長孔に挿通させ、ペン軸の小孔又は凹部に先端又はその付近に設けた突起部を嵌入させた状態にあるバネが、ペン軸を弾性的に押圧していることに基づくクリップ付ペンからなる。
【０００７】
【発明の実施の形態】
図３は、本発明の基本構成を示しているが、本発明は課題を解決するための手段に記載したように、ペン軸３を弾性的に押圧しているバネ２は、先端又はその付近に位置している突起が、ペン軸３に設けた小孔又は凹部３２に嵌入していることによって、ペン軸３に取り付けられている点に基本的特徴を有している。
【０００８】
当該ペン軸３は、ペンの軸本体である場合と、キャップである場合との双方があり得る。
【０００９】
図３（ａ）は、略直線状のバネ２の先端に突起部が位置している場合を示しており、図３（ｂ）は、中途部位を略く字型としているバネ２の先端付近に突起部が位置しており、かつ前記略く字型に変形した部分の頂部をペン軸３の小孔又は凹部３２に嵌入された場合を示している（尚、図３（ａ）は、小孔を設けた場合を示し、（ｂ）は、凹部を設けた場合を示す。）。
【００１０】
図３（ａ）の構成は、単純な構造である点に特徴を有しており、図３（ｂ）は、ペン軸３の小孔又は凹部３２に対する２ヵ所の嵌入によって、ペン軸３との間に堅固な結合状態を実現している点において特徴を有している。
【００１１】
このように、本発明においては、バネ２の先端又はその付近に位置している突起部をペン軸３の小孔又は凹部３２に嵌入させ、かつクリップ１とバネ２との接合部をペン軸３に対して固着せずに、ペン軸３の長孔３１に挿通させるという極めて簡単な構成によって、クリップ１をペン軸３に取り付けることができるので、従来技術のような構造上の煩雑性を免れることができる。
【００１２】
以下実施例に即して説明する。
【００１３】
【実施例１】
通常クリップ１の先端には、ペン軸３の表面側に向かっている突起（通常「玉」と呼ばれている。）を設けている場合が多い。
【００１４】
実施例１においては、図１（ａ）に示すように、クリップ１において上記突起を設けず、かつクリップ１の内側面がペン軸３の外側面と当接した状態としている点に特徴を有している。
【００１５】
このような設計によって、実施例１の場合には、極めてコンパクトかつスマートなクリップ付ペンの設計を実現することができる。
【００１６】
そして、本発明においては、クリップ１とバネ２との接合部をペン軸３に固着せずに、ペン軸３の長孔３１に挿通状態としているため、図１（ｂ）に示すように、クリップ１をポケットの上端などに掛合させる場合には、クリップ１においてバネ２との接合部をペン軸３の内側に押圧した場合には、クリップ１は、当該長孔３１の先端部分を中心軸として部分的な回転を行い、先端部分がペン軸３から離れた状態と化すことになる。
【００１７】
即ち、実施例１の場合には、上記のようなコンパクトかつスマートな設計を実現すると共に、前記のようにクリップ１の先端部分がペン軸３から離れた状態とすることによって、ポケットなどへの掛合をも実現することができる。
【００１８】
【実施例２】
通常クリップ１とバネ２とは、ペン軸３に取り付ける際、ビスなどを使用して接合される場合が多いが、当該接合は、煩雑な作業を伴うことが多い。
【００１９】
実施例２においては、図２（ａ）、（ｂ）に示すように、クリップ１とバネ２とを予め一体形成し、バネ２を先端部分から長孔３１を介してペン軸３の先端側に挿入し、バネ２の先端又はその付近の突起部がペン軸３の小孔又は凹部３２に嵌入するに至るまで、順次クリップ１とバネ２とをペン軸３の先端側に移動（実際にはスライドを伴っていることが多い。）させることによって、クリップ１とバネ２との接合部を長孔３１に挿通させている。
【００２０】
このような一連の一体形成によって、クリップ１とバネ２との接合、更にはペン軸３に対する取付は極めて容易となり、従来技術のような上記煩雑な作業を解決し得る点において、実施例２は画期的な意義を有している。
【００２１】
【発明の効果】
以上のように、本発明は、従来技術に比し、ペン軸に対し、極めて容易にクリップ及びバネを取り付けることが可能であり、特に実施例１は、コンパクトかつスマートな設計が可能である点、実施例２は、クリップ及びバネのペン軸に対する取付を極めて簡便にしている。
【００２２】
このように、本発明は多面的な価値を有しており、その価値は絶大である。
【図面の簡単な説明】
【図１】実施例１の構成を示す側断面図であり、（ａ）は、クリップ及びバネの通常の状態を示しており、（ｂ）は、ポケットなどに対する掛合状態を実現するために、クリップの先端をペン軸の表面から離れて開いた状態を示している。
【図２】実施例２の製造工程を示す側断面図であり、（ａ）は、接合部が長孔に挿通されていない段階を示しており、（ｂ）は、接合部が長孔に挿通された段階を示している。尚、黒線による矢印は、クリップ及びバネをペン軸の先端方向に移動（スライド）している方向を示している。
【図３】本発明の基本構成を示す側断面図であり、（ａ）は、略直線状のバネの先端に突起部が位置している状態を示しており、（ｂ）は、中途部位をく字型としているバネの先端付近に突起部が位置している場合を示している。尚、白線の矢印は、バネがペン軸を内側から押圧している方向を示している。
【符号の説明】
１　クリップ
２　バネ
３　ペン軸
３１　長孔
３２　小孔又は凹部
【図１】
2004106315.tif 000003
【図２】
2004106315.tif 000004
【図３】
2004106315.tif 000005